(57)【特許請求の範囲】
【請求項１】
１つのシリーズに属する複数の番組を特定するシリーズ情報を取得するシリーズ情報取得手段と、
放送による第１の配信方式とダウンロードによる第２の配信方式で共に配信される、前記１つのシリーズに属する複数の番組の前記配信方式毎の案内情報を取得する案内情報取得手段と、
前記第１の配信方式及び前記第２の配信方式で共に配信される、前記１つのシリーズに属する複数の番組のデータを取得可能な番組データ取得手段と、
前記番組のデータを保存可能な記憶部と、
前記番組データ取得手段により取得された前記番組のデータを前記記憶部に保存する番組データ録画手段と、
前記記憶部に前記データが保存された前記番組に関する情報を録画履歴情報として格納する録画履歴格納部と、
前記記憶部に保存された前記番組のデータを再生する再生手段と、
前記再生手段により前記データが再生された前記番組に関する前記情報を視聴履歴情報として格納する視聴履歴格納部と、
前記案内情報取得手段により取得された前記案内情報、前記シリーズ情報取得手段により取得された前記シリーズ情報、および前記録画履歴格納部に格納された前記録画履歴情報をもとに、録画対象である前記１つのシリーズに属する１以上の番組の録画状況を検出し、前記案内情報取得手段により取得された前記案内情報、前記シリーズ情報取得手段により取得された前記シリーズ情報、および前記視聴履歴格納部に格納された前記視聴履歴情報をもとに、録画対象である前記１つのシリーズに属する１以上の番組の視聴状況を検出し、前記録画状況の検出結果および前記視聴状況の検出結果をもとに、録画対象である前記１つのシリーズに属する１以上の番組のうち録画も視聴もされたことのない番組を検出し、この番組の配信方式を示す情報を含む情報を出力する検出手段と
を具備する録画装置。
【請求項２】
１つのシリーズに属する複数の番組を特定するシリーズ情報を取得し、
放送による第１の配信方式とダウンロードによる第２の配信方式で共に配信される、前記１つのシリーズに属する複数の番組の前記配信方式毎の案内情報を取得し、
前記第１の配信方式及び前記第２の配信方式で共に配信される、前記１つのシリーズに属する複数の番組のデータを取得し、
前記取得された前記番組のデータを記憶部に保存し、
前記記憶部に前記データが保存された前記番組に関する情報を録画履歴情報として格納し、
前記記憶部に保存された前記番組のデータを再生し、
前記再生手段により前記データが再生された前記番組に関する前記情報を視聴履歴情報として格納し、
前記取得された前記案内情報、前記シリーズ情報、および前記録画履歴情報をもとに、録画対象である前記１つのシリーズに属する１以上の番組の録画状況を検出し、
前記案内情報取得手段により取得された前記案内情報、前記シリーズ情報取得手段により取得された前記シリーズ情報、および前記視聴履歴格納部に格納された前記視聴履歴情報をもとに、録画対象である前記１つのシリーズに属する１以上の番組の視聴状況を検出し、
前記録画状況の検出結果および前記視聴状況の検出結果をもとに、録画対象である前記１つのシリーズに属する１以上の番組のうち録画も視聴もされたことのない番組を検出し、この番組の配信方式を示す情報を含む情報を出力する
録画状況検出方法。
【請求項３】
１つのシリーズに属する複数の番組を特定するシリーズ情報を配信可能なシリーズ情報配信装置と、
放送による第１の配信方式とダウンロードによる第２の配信方式で共に配信される、前記１つのシリーズに属する複数の番組の前記配信方式毎の案内情報を配信可能な案内情報配信装置と、
前記第１の配信方式及び前記第２の配信方式で共に配信される、前記１つのシリーズに属する複数の番組のデータを配信可能な番組配信装置と、
前記番組配信装置から配信される番組のデータを録画可能な録画装置とを具備し、
前記録画装置は、
１つのシリーズに属する複数の番組を特定するシリーズ情報を取得するシリーズ情報取得手段と、
放送による第１の配信方式とダウンロードによる第２の配信方式で共に配信される、前記１つのシリーズに属する複数の番組の前記配信方式毎の案内情報を取得する案内情報取得手段と、
前記第１の配信方式及び前記第２の配信方式で共に配信される、前記１つのシリーズに属する複数の番組のデータを取得可能な番組データ取得手段と、
前記番組のデータを保存可能な記憶部と、
前記番組データ取得手段により取得された前記番組のデータを前記記憶部に保存する番組データ録画手段と、
前記記憶部に前記データが保存された前記番組に関する情報を録画履歴情報として格納する録画履歴格納部と、
前記記憶部に保存された前記番組のデータを再生する再生手段と、
前記再生手段により前記データが再生された前記番組に関する前記情報を視聴履歴情報として格納する視聴履歴格納部と、
前記案内情報取得手段により取得された前記案内情報、前記シリーズ情報取得手段により取得された前記シリーズ情報、および前記録画履歴格納部に格納された前記録画履歴情報をもとに、録画対象である前記１つのシリーズに属する１以上の番組の録画状況を検出し、前記案内情報取得手段により取得された前記案内情報、前記シリーズ情報取得手段により取得された前記シリーズ情報、および前記視聴履歴格納部に格納された前記視聴履歴情報をもとに、録画対象である前記１つのシリーズに属する１以上の番組の視聴状況を検出し、前記録画状況の検出結果および前記視聴状況の検出結果をもとに、録画対象である前記１つのシリーズに属する１以上の番組のうち録画も視聴もされたことのない番組を検出し、この番組の配信方式を示す情報を含む情報を出力する検出手段と
を具備する番組配信録画システム。
【請求項４】
１つのシリーズに属する複数の番組を特定するシリーズ情報を取得するシリーズ情報取得手段と、
放送による第１の配信方式とダウンロードによる第２の配信方式で共に配信される、前記１つのシリーズに属する複数の番組の前記配信方式毎の案内情報を取得する案内情報取得手段と、
前記第１の配信方式及び前記第２の配信方式で共に配信される、前記１つのシリーズに属する複数の番組のデータを取得可能な番組データ取得手段と、
前記番組のデータを保存可能な記憶部と、
前記番組データ取得手段により取得された前記番組のデータを前記記憶部に保存する番組データ録画手段と、
前記記憶部に前記データが保存された前記番組に関する情報を録画履歴情報として格納する録画履歴格納部と、
前記記憶部に保存された前記番組のデータを再生する再生手段と、
前記再生手段により前記データが再生された前記番組に関する前記情報を視聴履歴情報として格納する視聴履歴格納部と、
前記案内情報取得手段により取得された前記案内情報、前記シリーズ情報取得手段により取得された前記シリーズ情報、および前記録画履歴格納部に格納された前記録画履歴情報をもとに、録画対象である前記１つのシリーズに属する１以上の番組の録画状況を検出し、前記案内情報取得手段により取得された前記案内情報、前記シリーズ情報取得手段により取得された前記シリーズ情報、および前記視聴履歴格納部に格納された前記視聴履歴情報をもとに、録画対象である前記１つのシリーズに属する１以上の番組の視聴状況を検出し、前記録画状況の検出結果および前記視聴状況の検出結果をもとに、録画対象である前記１つのシリーズに属する１以上の番組のうち録画も視聴もされたことのない番組を検出し、この番組の配信方式を示す情報を含む情報を出力する検出手段として
コンピュータを動作させるプログラム。
【発明の詳細な説明】
【技術分野】
【０００１】
本発明は、例えば放送番組、ＶＯＤ番組などを取得して録画可能な録画装置、この録画装置での番組の録画状況を検出する番組配信録画システム、番組配信録画システム、及びプログラムに関する。
【背景技術】
【０００２】
近年、ＨＤＤ（Ｈａｒｄ ｄｉｓｋ ｄｒｉｖｅ）や、ＤＶＤ（Ｄｉｇｉｔａｌ Ｖｅｒｓａｔｉｌｅ Ｄｉｓｃ）、ブルーレイディスクなどの大容量の記憶媒体に対して、各種の伝送媒体を通じて配信される番組やコンテンツのデータの記録／再生が可能な録画装置が普及している。番組やコンテンツの配信方式は多岐にわたってきており、例えば、地上アナログ放送、地上デジタル放送、ＢＳ放送、ＣＳ放送などの放送電波を伝送媒体とする配信方式や、ＩＰマルチキャスト方式、ＶＯＤ（Ｖｉｄｅｏ Ｏｎ Ｄｅｍａｎｄ）方式など、ネットワークを伝送媒体とする配信方式などがある。
【０００３】
ユーザに配信予定の番組の案内情報を提供するためのサービスとしてＥＰＧ（Ｅｌｅｃｔｒｉｃ Ｐｒｏｇｒａｍ Ｇｕｉｄｅ）、ＥＣＧ（Ｅｌｅｃｔｒｉｃ Ｃｏｎｔｅｎｔ． Ｇｕｉｄｅ）などがある。このような番組の案内情報には、例えば、数週間先までの配信予定の番組の案内情報が掲載されている。
【０００４】
録画装置は、このような番組案内情報を例えば定期的あるいは電源が立ち上がる度に取得して保存し、ユーザからの要求に応じてこれらを、録画装置に接続された外部ＡＶ機器の表示部などに表示させる。ユーザは表示された番組案内情報を参照して、視聴したい番組が見つかれば、その番組を選択して録画予約などを行うことができる。
【０００５】
ドラマのような分野の番組は、毎日、毎週といった間隔で放送されるシリーズ番組であることが多い。このようなシリーズ番組は第１話から最終話まで漏らさず視聴したいものである。
【０００６】
そこで例えば、特許文献１には、シリーズ番組を自動的に判断して録画予約することのできる録画装置が開示されている。この録画装置では、ＥＰＧデータや録画番組履歴をもとに一定の間隔で繰り返し放送される番組をシリーズ番組として自動的に判断し、以後、その番組をシリーズ録画予約の対象としてＥＰＧデータをもとに自動で録画することとしている。
【特許文献１】特開２００７−２３５１９３号公報（段落［００３５］参照）
【発明の開示】
【発明が解決しようとする課題】
【０００７】
しかしながら、番組の放送日時は変更されることが少なくない。特許文献１の録画装置では、番組の放送日時の周期性をもとにシリーズ番組を自動的に判断することから、番組の放送日時の変更が頻繁に発生した場合には、正しくシリーズ番組を判定することが困難である。
【０００８】
また、様々な番組の配信方式が混在する昨今においては、同じシリーズの番組が異なる複数の配信方式で非同期に配信される場合が考えられる。例えば、あるシリーズの番組がある放送波で定期的に配信される一方、同じシリーズの番組が別の放送波で放送日時をずらして定期的に配信される場合や、ＶＯＤ方式で配信される場合などがある。
【０００９】
このような状況において、所定の配信方式で配信されるシリーズの番組を続けて録画しようとしているユーザがある回の番組の録画に失敗した場合、その回の番組を別の配信方式で配信されることが予定されていたとしても、それをユーザが知ることは容易ではなかった。
【００１０】
以上のような事情に鑑み、本発明の目的は、シリーズ番組の録画を良好に行うことのできる録画装置、録画状況検出方法、番組配信録画システム、及びプログラムを提供することにある。
【課題を解決するための手段】
【００１１】
かかる課題を解決するため、本発明に係る録画装置は、配信予定の番組の案内情報を取得する案内情報取得手段と、シリーズに属する複数の番組を特定するシリーズ情報を取得するシリーズ情報取得手段と、前記番組のデータを取得する番組データ取得手段と、前記番組のデータを保存可能な記憶部と、前記番組データ取得手段により取得された前記番組のデータを前記記憶部に保存する番組データ録画手段と、前記記憶部に前記データが保存された前記番組に関する情報を録画履歴情報として格納する録画履歴格納部と、前記案内情報取得手段により取得された前記案内情報、前記シリーズ情報取得手段により取得された前記シリーズ情報、および前記録画履歴格納部に格納された前記録画履歴情報をもとに、録画対象である前記シリーズに属する１以上の番組の録画状況を検出する検出手段とを具備する。
【００１２】
本発明では、番組の案内情報と、シリーズに属する複数の番組を特定するシリーズ情報と、録画履歴情報とをもとに、ユーザの録画対象のシリーズに属する１以上の番組の録画状況を検出することにより、番組の放送日時や配信日時の変更に影響されることなく、シリーズ番組の録画を良好に行うことができる。
【００１３】
また、本発明に係る録画装置において、前記番組案内情報取得手段は、異なる複数の配信方式の前記案内情報を取得し、前記番組データ取得手段は、前記複数の配信方式の前記番組のデータを取得可能とされ、前記検出手段は、前記案内情報取得手段により取得された前記複数の配信方式の前記案内情報、前記シリーズ情報取得手段により取得された前記シリーズ情報、および前記録画履歴格納部に格納された前記録画履歴情報をもとに、録画対象である前記シリーズに属する１以上の番組の録画状況を検出することとしてもよい。
【００１４】
本発明では、異なる複数の配信方式にまたがって、視聴対象のシリーズに属する１以上の番組の録画状況を検出することができる。これにより、例えば、所定の配信方式で配信されるシリーズの番組を続けて録画しようとしているユーザがある回の番組の録画に失敗したとしても、その回の番組を別の配信方式で配信されることが予定されている場合には、そのことをユーザに知らせることができる。
【００１５】
本発明に係る録画装置は、前記記憶部に保存された番組データを再生する再生手段と、前記再生手段により再生された番組データに関する情報を視聴履歴情報として格納する視聴履歴格納部とをさらに具備し、前記検出手段は、さらに、前記案内情報取得手段により取得された前記複数の配信方式の前記案内情報、前記シリーズ情報取得手段により取得された前記シリーズ情報、および前記録画履歴格納部に格納された前記録画履歴情報をもとに、録画対象である前記シリーズに属する１以上の番組の視聴状況を検出することとしてもよい。
【００１６】
本発明では、シリーズに属する番組の録画履歴とともに視聴履歴を検出することができる。
【００１７】
前記検出手段は、さらに、前記それぞれの検出の結果をもとに、録画対象である前記シリーズに属する１以上の番組のうち録画も視聴もされたことのない番組に関する情報を出力することとしてもよい。
【００１８】
前記検出部は、さらに、前記それぞれの検出の結果をもとに、録画対象である前記シリーズに属する１以上の番組のうち録画されているものの視聴されたことのない番組に関する情報を出力することとしてもよい。
【００１９】
本発明の別の観点に基づく録画状況検出方法は、配信予定の番組の案内情報を取得し、シリーズに属する複数の番組を特定するシリーズ情報を取得し、前記番組のデータを取得し、前記取得された前記番組のデータを記憶部に保存し、前記記憶部に前記データが保存された前記番組に関する情報を録画履歴情報として格納し、前記取得された前記案内情報、前記シリーズ情報、および前記録画履歴情報をもとに、録画対象である前記シリーズに属する１以上の番組の録画状況を検出する。
【００２０】
本発明の別の観点に基づく番組配信録画システムは、番組のデータを配信可能な番組配信装置と、配信予定の番組の案内情報を配信可能な案内情報配信装置と、シリーズに属する複数の番組を特定するシリーズ情報を配信可能なシリーズ情報配信装置と、前記番組配信装置から配信される番組のデータを録画可能な録画装置とを具備し、前記録画装置は、前記案内情報配信装置より配信される前記案内情報を取得する案内情報取得手段と、前記シリーズ情報配信装置より配信される前記シリーズ情報を取得するシリーズ情報取得手段と、前記番組配信装置から配信される番組のデータを取得する番組データ取得手段と、前記番組のデータを保存可能な記憶部と、前記番組データ取得手段により取得された前記番組のデータを前記記憶部に保存する番組データ録画手段と、前記記憶部に前記データが保存された前記番組に関する情報を録画履歴情報として格納する録画履歴格納部と、前記案内情報取得手段により取得された前記案内情報、前記シリーズ情報取得手段により取得された前記シリーズ情報、および前記録画履歴格納部に格納された前記録画履歴情報をもとに、録画対象である前記シリーズに属する１以上の番組の録画状況を検出する検出手段とを具備する
【００２１】
本発明の別の観点に基づくプログラムは、配信予定の番組の案内情報を取得する案内情報取得手段と、シリーズに属する複数の番組を特定するシリーズ情報を取得するシリーズ情報取得手段と、前記番組のデータを取得する番組データ取得手段と、前記番組のデータを保存可能な記憶部と、前記番組データ取得手段により取得された前記番組のデータを前記記憶部に保存する番組データ録画手段と、前記記憶部に前記データが保存された前記番組に関する情報を録画履歴情報として格納する録画履歴格納部と、前記案内情報取得手段により取得された前記案内情報、前記シリーズ情報取得手段により取得された前記シリーズ情報、および前記録画履歴格納部に格納された前記録画履歴情報をもとに、録画対象である前記シリーズに属する１以上の番組の録画状況を検出する検出手段としてコンピュータを動作させるものである。
【発明の効果】
【００２２】
以上のように、本発明によれば、シリーズ番組の録画を良好に行うことができる。
【発明を実施するための最良の形態】
【００２３】
以下、本発明の実施の形態について図面を参照しながら説明する。  
図１は本発明の一実施形態に係る番組配信録画システム１００の構成を示す図である。
【００２４】
同図に示すように、この番組配信録画システム１００は、放送局２００と、番組配信サーバ３００と、録画装置４００とを含む。番組配信サーバ３００と録画装置４００とはインターネットなどのネットワーク１を介して互いに接続可能である。録画装置４００は、ネットワーク１にエッジルータを通じて接続されたホームネットワークに接続されていてもよい。
【００２５】
放送局２００は、番組のデータおよび当該番組の案内情報であるＥＰＧ（Ｅｌｅｃｔｒｉｃ Ｐｒｏｇｒａｍ Ｇｕｉｄｅ）を電波に乗せて放送配信する。また、放送局２００は、番組のシリーズ毎にこれに属する複数の番組を特定するためのシリーズ情報を放送配信する。
【００２６】
番組配信サーバ３００は、番組のデータおよび当該番組の案内情報であるＥＣＧ（Ｅｌｅｃｔｒｉｃ Ｃｏｎｔｅｎｔ． Ｇｕｉｄｅ）をネットワーク１を通じて、ＩＰマルチキャスト方式、ＶＯＤ方式などにより配信することが可能である。また、番組配信サーバ３００は、番組のシリーズ毎にこれに属する複数の番組を特定するためのシリーズ情報を配信することが可能である。
【００２７】
なお、この実施形態では、放送局２００、番組配信サーバ３００の各々が、「番組配信装置」「案内情報配信装置」「シリーズ情報配信装置」として動作し、放送局２００と番組配信サーバ３００はそれぞれ、互いに異なる配信方式で番組のデータを配信可能な番組配信装置である。番組のデータの配信、その番組の案内情報の配信、シリーズ情報の配信はそれぞれ別々の装置から行われることとしてもよいし、シリーズ情報の配信のみ専用の装置から行われることにしてもよい。
【００２８】
録画装置４００は、放送局２００から配信される番組のデータ、番組配信サーバ３００から配信される番組のデータを録画し、録画した番組のデータを再生することが可能な機器である。また、録画装置４００は、放送局２００から配信されるＥＰＧおよびシリーズ情報、番組配信サーバ３００から配信されるＥＣＧおよびシリーズ情報を受信し、保存することが可能である。
【００２９】
次に、録画装置４００の構成を説明する。
図２は録画装置４００のハードウェアの構成を示す図である。
【００３０】
同図に示すように、ＣＰＵ４０１には、システムバス４０２を介して、ＲＯＭ４０３、ＲＡＭ４０４、入力操作部４０５、ＡＶインターフェース４０６と、表示部４０７、ネットワーク接続部４０８、デコード部４０９、放送受信部４１１、ハードディスクドライブ（ＨＤＤ）などよりなる記憶部４１２と、メディアインターフェース部４１３、フラッシュＲＯＭ４１４、光通信部４１５などが接続されている。
【００３１】
ＲＯＭ４０３およびフラッシュＲＯＭ４１４には、ＣＰＵ４０１によって処理実行されるプログラムや各種のデータが格納されている。フラッシュＲＯＭ４１４は各種のデータの保存が可能である。ＲＡＭ４０４は、ＣＰＵ４０１による一時的な作業領域およびデータの一時保存のための領域として用いられる。
【００３２】
入力操作部４０５は、各種のキーなどを備え、ユーザからの各種操作のための指令の入力を処理する。入力操作部４０５より入力された指令は、システムバス４０２を通じてＣＰＵ４０１に送られる。
【００３３】
光通信部４１５は、リモートコントローラ５との通信を行うインタフェースである。リモートコントローラ５は入力操作部４０５と同様に各種のキーなどを備え、ユーザからの各種操作のための指令の入力を処理し、光信号に変換して送信する。光通信部４１５は、リモートコントローラ５から送信された光信号を受信し、電気的な信号に変換してシステムバス４０２を通じてＣＰＵ４０１に出力する。
【００３４】
表示部４０７は、例えば、ＬＣＤ（Ｌｉｑｕｉｄ Ｃｒｙｓｔａｌ Ｄｉｓｐｌａｙ）などの表示器と、表示器を駆動する表示制御回路よりなり、例えば、ユーザから入力された指令やデータの確認、各種のステータスなどを表示する。
【００３５】
ネットワーク接続部４０８は、例えば、インターネットや、このインターネットにルータを介して接続されたホームネットワークなどのネットワーク１との接続を処理するインターフェースである。
【００３６】
ＡＶインターフェース４０６は、録画装置４００に接続されたテレビジョンなどの外部ＡＶ機器４との間でビデオ信号およびオーディオ信号の入出力を処理する。
【００３７】
放送受信部４１１は、例えば、地上アナログテレビジョン放送、地上デジタルテレビジョン放送、ＣＳデジタル放送、ＢＳデジタル放送、携帯機器向け地上デジタルテレビジョン放送など、放送局２００からの放送波を受信し、ビデオ信号及びオーディオ信号の復調などを行う。
【００３８】
デコード部４０９は、伝送および記録のために圧縮符号化された番組のデータを復号する。このデコード部４０９による復号により復元されたビデオデータおよびオーディオデータなどはＡＶインターフェース４０６を通じてテレビジョンなどの外部ＡＶ機器４に出力される。
【００３９】
記憶部４１２は、例えばＨＤＤなどよりなり、放送局２００から放送波で配信された番組のデータ、ＥＧＰ、シリーズ情報や、番組配信サーバ３００からネットワーク１を介して配信された番組のデータ、ＥＣＧ、シリーズ情報などが保存される。
【００４０】
メディアインターフェース部４１３には、例えば、ＤＶＤ（Ｄｉｇｉｔａｌ Ｖｅｒｓａｔｉｌｅ Ｄｉｓｃ）、ブルーレイディスク、フラッシュメモリなどのリムーバブルメディア２の着脱が可能とされ、装着されたリムーバブルメディア２に対して、番組のデータの書き込みと読み出しを行うことができるインタフェースである。
【００４１】
図３は録画装置４００の機能的な構成を示す図である。
【００４２】
同図に示すように、録画装置４００は、番組データ取得部１１、番組データ録画部１２、番組データ格納部１３、ＥＰＧ／ＥＣＧ／シリーズ情報取得部１４、ＥＰＧ／ＥＣＧ／シリーズ情報格納部１５、ＥＰＧ／ＥＣＧ画面生成部１６、録画予約部１７、番組データ再生部１８、視聴履歴記録部１９、視聴履歴格納部２０、録画履歴記録部２１、録画履歴格納部２２、シリーズ番組視聴／録画状況検出部２３、録画予約情報格納部２４、録画番組リスト生成部２５を備える。
【００４３】
番組データ取得部１１は、放送受信部４１１を制御して放送局２００から放送される番組データＤ１０を受信したり、ネットワーク１を通じて番組配信サーバ３００からＩＰマルチキャスト方式またはＶＯＤ方式で配信される番組データＤ１１を受信したりするなど、番組データを外部より取得する処理を行う。
【００４４】
番組データ録画部１２は、番組データ取得部１１にて取得された番組データＤ１０，Ｄ１１を番組データ格納部１３に保存する処理を行う。番組データ録画部１２は、例えば、録画予約情報格納部２４に格納された録画予約情報Ｄ１をもとに番組データ取得部１１に対して番組取得要求Ｒ２を出し、その応答である番組データＤ１０，Ｄ１１を番組データ格納部１３に保存する。
【００４５】
番組データ格納部１３は番組データＤ１０，Ｄ１１を保存するとともに、この保存された番組データを管理するためのテーブルを保存する。番組データ格納部１３は、具体的には、記憶部４１２、あるいはメディアインターフェース部４１３に装着されたリムーバブルメディア２、フラッシュＲＯＭ４１４などである。
【００４６】
ＥＰＧ／ＥＣＧ／シリーズ情報取得部１４は、入力操作部４０５またはリモートコントローラ５を用いてユーザより入力された取得要求Ｒ１１をもとに、放送受信部４１１を制御して、放送局２００から放送配信されるＥＰＧデータＤ２、シリーズ情報Ｄ１５を受信したり、または、ネットワーク接続部４０８を制御して、番組配信サーバ３００からネットワーク１を通じて配信されるＥＣＧデータＤ３、シリーズ情報Ｄ１５を受信し、てＥＰＧ／ＥＣＧ／シリーズ情報格納部１５に保存する。
【００４７】
ＥＰＧ／ＥＣＧ／シリーズ情報格納部１５は、ＥＰＧデータＤ２、ＥＣＧデータＤ３およびシリーズ情報Ｄ１５を保存する。ＥＰＧ／ＥＣＧ／シリーズ情報格納部１５は、具体的には、記憶部４１２、メディアインターフェース部４１３に装着されたリムーバブルメディア２、フラッシュＲＯＭ４１４などである。
【００４８】
ＥＰＧ／ＥＣＧ画面生成部１６は、入力操作部４０５またはリモートコントローラ５を用いてユーザより入力された表示要求Ｒ３をもとに、ＥＰＧ／ＥＣＧ／シリーズ情報格納部１５に保存されたＥＰＧデータＤ２、ＥＣＧデータＤ３から、それぞれの画面データＤ４，Ｄ１４を生成する。
【００４９】
録画予約部１７は、録画予約情報Ｄ１を録画予約情報格納部２４に登録する処理を行う。
【００５０】
録画予約情報格納部２４は録画予約情報Ｄ１を保存する。録画予約情報格納部２４は、具体的には、記憶部４１２、メディアインターフェース部４１３に装着されたリムーバブルメディア２、フラッシュＲＯＭ４１４などである。
【００５１】
録画番組リスト生成部２５は、入力操作部４０５またはリモートコントローラ５を用いてユーザより入力された録画番組リストの出力要求Ｒ５に応じて、番組データ格納部１３に保存されている番組データＤ１０，Ｄ１１を管理するテーブルの情報Ｄ８から録画済みの番組の一覧データである録画番組リストＤ５を生成する。録画番組リスト生成部２５により生成された録画番組リストＤ５は、ＡＶインターフェース４０６を通じてテレビジョンなどの外部ＡＶ機器４に出力される。この外部ＡＶ機器４に表示され録画番組リストの中からユーザは入力操作部４０５またはリモートコントローラ５を用いて視聴したい番組を選択して視聴要求Ｒ７の入力を行うことができる。
【００５２】
番組データ再生部１８は、番組データ格納部１３から読み出された番組データＤ１０，Ｄ１１をデコード部４０９を用いて復号し、再生データＤ１６であるビデオデータおよびオーディオデータをＡＶインターフェース４０６を通じて外部ＡＶ機器４に出力する。
【００５３】
視聴履歴記録部１９は、番組データ再生部１８にて再生が行われた番組の配信方式の情報、番組ＩＤ、番組名、視聴日時などの情報を含む再生完了通知Ｄ６を取得して、この再生完了通知Ｄ６に含まれる配信方式の情報、番組ＩＤ、番組名、視聴日時を視聴履歴格納部２０に視聴履歴情報Ｄ２３として保存する処理を行う。
【００５４】
視聴履歴格納部２０は、番組データ再生部１８にて再生が行われた番組の視聴履歴情報Ｄ２３を保存する。視聴履歴格納部２０は、具体的には、記憶部４１２、メディアインターフェース部４１３に装着されたリムーバブルメディア２、フラッシュＲＯＭ４１４などである。
【００５５】
録画履歴記録部２１は、番組データ録画部１２によって番組データ格納部１３へ記録され番組の番組ＩＤなどの番組情報Ｄ７を取得して、この番組情報Ｄ７をもとにＥＰＧ／ＥＣＧ／シリーズ情報格納部１５に格納されたＥＰＧデータＤ２およびＥＣＧデータＤ３から該当する番組に関する情報Ｄ１２を抽出して録画履歴格納部２２に録画履歴情報Ｄ２２として保存する処理を行う。
【００５６】
録画履歴格納部２２は、録画が行われた番組の録画履歴情報Ｄ２２を保存する。録画履歴格納部２２は、具体的には、記憶部４１２、メディアインターフェース部４１３に装着されたリムーバブルメディア２、フラッシュＲＯＭ４１４などである。
【００５７】
シリーズ番組視聴／録画状況検出部２３は、入力操作部４０５またはリモートコントローラ５を用いてユーザよりシリーズ番組視聴／録画状況の照会要求Ｒ８が入力されたとき、視聴履歴格納部２０に格納された視聴履歴情報Ｄ２３、録画履歴格納部２２に格納された録画履歴情報Ｄ２２、およびＥＰＧ／ＥＣＧ／シリーズ情報格納部１５に格納されたＥＰＧデータＤ２、ＥＣＧデータＤ３、シリーズ情報Ｄ１５をもとに、ユーザの録画対象であるシリーズに属する１以上の番組の視聴状況、録画状況を検出し、この検索結果をもとにシリーズ番組視聴／録画状況画面のデータＤ２０を生成する。このシリーズ番組視聴／録画状況画面のデータＤ２０は、ＡＶインターフェース４０６を通じて外部ＡＶ機器４に出力され、ユーザに提示される。
【００５８】
次に、ＥＰＧ、ＥＣＧ、シリーズ情報について説明する。
図４はＥＰＧ、ＥＣＧ、シリーズ情報の構成とこれらの関係を示す図である。
【００５９】
同図に示すように、ＥＰＧには、放送局２００より放送で、番組配信サーバ３００よりＩＰマルチキャスト方式で、配信される番組の番組ＩＤ、番組名、放送日時、放送チャンネル、ＩＰマルチキャストアドレス（ＩＰマルチキャスト方式の場合）などの情報が含まれている。ＥＣＧには、番組配信サーバ３００よりＶＯＤ方式などで配信可能な番組の番組ＩＤ、番組名、番組データのロケーション情報であるＵＲＬなどの情報が含まれている。シリーズ情報には、シリーズＩＤ、シリーズ名、シリーズに属する各番組それぞれの番組ＩＤなどが含まれている。ここで、番組ＩＤに関しては、番組の配信方式が異なっていても、ソースが同じである各番組に対してはそれぞれ同一の番組ＩＤが付けられる。したがって、シリーズ情報は、複数の種類の配信方式が混在する状況においても一種類でよい。すなわち、放送局２００から放送配信されるシリーズ情報も番組配信サーバ３００から配信されるシリーズ情報も中身は同一である。このことから、録画装置４００は、放送局２００、番組配信サーバ３００、あるいはシリーズ情報を配信する専用サーバのいずれかからシリーズ情報を取得するだけでよい。
【００６０】
シリーズ情報を取得するタイミングについても特に制約はない。例えば、番組データを取得と連動して、その番組のシリーズ情報のみを逐一取得したり、ＥＰＧデータ、ＥＣＧデータの取得と連動してシリーズ情報を取得してもよい。あるいは、シリーズ番組視聴／録画状況検出部２３がユーザからのシリーズ番組視聴／録画状況の照会要求Ｒ８を受けたときシリーズ情報を取得してもよい。
【００６１】
次に、本実施形態の番組配信録画システム１００の動作を説明する。
【００６２】
まず、番組の録画予約を行う時の動作から説明する。
【００６３】
まず、ユーザは入力操作部４０５またはリモートコントローラ５を操作して、ＥＰＧ／ＥＣＧ画面生成部１６にＥＰＧまたはＥＣＧのいずれかの指定情報を含む表示要求Ｒ３を出力する。ＥＰＧ／ＥＣＧ画面生成部１６は、ＥＰＧの指定情報を含む表示要求Ｒ３が入力された場合に、ＥＰＧ／ＥＣＧ／シリーズ情報格納部１５に格納されているＥＰＧデータＤ２をもとにＥＰＧの画面データＤ４を生成し、ＡＶインターフェース４０６を通じてテレビジョンなどの外部ＡＶ機器４に出力する。これにより、外部ＡＶ機器４の画面にＥＰＧが表示される。また、ＥＰＧ／ＥＣＧ画面生成部１６は、ＥＣＧの指定情報を含む表示要求Ｒ３が入力された場合には、ＥＰＧ／ＥＣＧ／シリーズ情報格納部１５に格納されているＥＣＧデータＤ３をもとにＥＣＧの画面データＤ１４を生成し、ＡＶインターフェース４０６を通じてテレビジョンなどの外部ＡＶ機器４に出力する。これにより、外部ＡＶ機器４の画面にＥＣＧが表示される。
【００６４】
外部ＡＶ機器４に表示されたＥＰＧ画面またはＥＣＧ画面の中から録画予約したい番組がユーザによって入力操作部４０５またはリモートコントローラ５を操作して選択されるとともに録画予約命令が与えられると、その番組を指定する情報を含む録画予約要求Ｒ４が入力操作部４０５またはリモートコントローラ５からＥＰＧ／ＥＣＧ画面生成部１６に出力される。ＥＰＧ／ＥＣＧ画面生成部１６は、この録画予約要求Ｒ４を受けると、この録画予約要求Ｒ４に含まれる番組指定情報をもとにＥＰＧデータＤ２またはＥＣＧデータＤ３から、該当する番組を取得するために必要な情報を抽出し、この情報を含む録画予約要求Ｒ１を録画予約部１７に出力する。録画予約部１７は、この録画予約要求Ｒ１をもとに、この録画予約要求Ｒ１に含まれる番組を取得するために必要な情報を録画予約情報Ｄ１として録画予約情報格納部２４に登録する。以上により、番組の録画予約が完了する。
【００６５】
次に、番組の録画とこれに伴う録画履歴情報の記録の動作を説明する。
【００６６】
図５は番組の録画とこれに伴う録画履歴情報の記録の動作に関するフローチャートである。
【００６７】
番組データ録画部１２は、例えば、録画予約情報格納部２４に格納された録画予約情報Ｄ１をもとに、番組取得要求Ｒ２を番組データ取得部１１に出力する。データ取得部１１は、番組データ録画部１２からの番組取得要求Ｒ２をもとに、放送局２００から放送される番組データＤ１０、または番組配信サーバ３００から配信される番組データＤ１１を取得する（ステップＳ１０１）。録画対象番組が放送局２００から放送される番組データＤ１０である場合、データ取得部１１は番組取得要求Ｒ２に含まれる放送チャンネル、番組ＩＤ、放送日時などの情報をもとに放送受信部４１１を制御して、放送局２００から放送される番組データＤ１０を取得する。また、録画対象番組が番組配信サーバ３００からＩＰマルチキャスト方式で配信される番組である場合には、データ取得部１１は番組取得要求Ｒ２に含まれるＩＰマルチキャストアドレス、番組ＩＤ、放送日時などをもとにネットワーク接続部４０８を制御して、番組配信サーバ３００からネットワーク１を介してＩＰマルチキャスト方式で配信される番組データＤ１１を取得する。さらに、録画対象番組が番組配信サーバ３００からのストリーミング方式、ダウンロード方式などのＶＯＤ方式で配信される番組である場合、データ取得部１１は番組取得要求Ｒ２に含まれる番組データのロケーション情報、番組ＩＤなどをもとにネットワーク接続部４０８を制御して、番組配信サーバ３００よりネットワーク１を介して配信される番組データＤ１１を取得する。
【００６８】
データ取得部１１は、放送局２００または番組配信サーバ３００より取得した番組データＤ１０，Ｄ１１を番組データ録画部１２に出力する。番組データ録画部１２はデータ取得部１１からの番組データＤ１０，Ｄ１１を番組データ格納部１３に保存する（ステップＳ１０２）。
【００６９】
番組データ格納部１３への番組データＤ１０，Ｄ１１の保存が完了した後、番組データ録画部１２は、その保存した番組データＤ１０，Ｄ１１の番組ＩＤなどの番組情報Ｄ１２をＥＰＧ／ＥＣＧ／シリーズ情報取得部１４に格納されたＥＰＧデータＤ２およびＥＣＧデータＤ３から取得し、この番組に関する情報Ｄ１２を録画履歴記録部２１に出力する。録画履歴記録部２１は、番組データ録画部１２より入力された番組に関する情報Ｄ１２を録画履歴格納部２２の新規のエントリに録画履歴情報Ｄ２２として登録する（ステップＳ１０３）。ここで、録画履歴格納部２２に録画履歴情報Ｄ２２として登録される情報は、配信方式の情報（例えば「放送」「ＶＯＤ」など）、番組ＩＤ、番組名、録画日時などを含む。
【００７０】
次に、番組の視聴とこれに伴う視聴履歴情報の記録の動作を説明する。
【００７１】
図６は番組の視聴とこれに伴う視聴履歴情報の記録の動作に関するフローチャートである。
【００７２】
まず、番組データ格納部１３に保存された録画済みの番組の中から視聴したい番組がユーザによって選択される（ステップＳ２０１）。この場合、視聴したい番組の選択は、例えば、次のように行われる。ユーザは、例えば、入力操作部４０５またはリモートコントローラ５を操作して、録画番組リスト生成部２５に録画番組リストの出力要求Ｒ５を出力する。録画番組リスト生成部２５は、録画番組リストの出力要求Ｒ５を受けると、番組データ格納部１３に録画されている番組を管理するテーブルの情報をもとに録画番組リストＤ５を生成し、ＡＶインターフェース４０６を通じて外部ＡＶ機器４に出力する。外部ＡＶ機器４に表示された録画番組リストの中から視聴したい番組がユーザによって入力操作部４０５またはリモートコントローラ５を操作して選択されるとともに視聴命令が与えられると、その視聴したい番組を特定する番組ＩＤなどの情報を含む番組視聴要求Ｒ７が入力操作部４０５またはリモートコントローラ５から番組データ再生部１８に出力される。
【００７３】
番組データ再生部１８は、番組視聴要求Ｒ７を入力すると、この番組視聴要求Ｒ７に含まれる番組ＩＤなどの番組を特定する情報をキーとして番組データ格納部１３から該当する１つの番組データＤ１０，Ｄ１１を読み込む。番組データ再生部１８は、読み込んだ番組データＤ１０，Ｄ１１に対して、再生のために必要な復号、誤り訂正などのデータ処理を行い、再生データＤ１６であるビデオデータおよびオーディオデータをＡＶインターフェース４０６を通じて外部ＡＶ機器４に出力する。これにより番組の視聴が行われる（ステップＳ２０２）。
【００７４】
番組データ再生部１８は、番組データの再生終了後、その番組の配信方式の情報（例えば「放送」「ＶＯＤ」など）、番組ＩＤ、番組名、視聴日時などの情報を含む再生完了通知Ｄ６を視聴履歴記録部１９に出力する。視聴履歴記録部１９は、番組データ再生部１８からの再生完了通知Ｄ６を受けると、視聴履歴格納部２０に新たなエントリを作成し、ここに、再生完了通知Ｄ６に含まれる配信方式の情報、番組ＩＤ、番組名、視聴日時などの情報を視聴履歴情報Ｄ２３として登録する（ステップＳ２０３）。
【００７５】
次に、録画履歴情報Ｄ２２、視聴履歴情報Ｄ２３、ＥＰＧデータＤ２、ＥＣＧデータＤ３およびシリーズ情報Ｄ１５をもとに、ユーザの録画対象であるシリーズに属する１以上の番組の視聴／録画状況を検出する動作を説明する。
【００７６】
図７はユーザの録画対象であるシリーズに属する１以上の番組の視聴／録画状況を検出する動作に関するフローチャートである。
【００７７】
シリーズ番組視聴／録画状況検出部２３は、入力操作部４０５またはリモートコントローラ５を通じてユーザより、シリーズ番組視聴／録画状況の照会要求Ｒ８が入力されたことを契機に、まず、ＥＰＧ／ＥＣＧ／シリーズ情報格納部１５からシリーズ情報Ｄ１５を取得する（ステップＳ３０１）。
【００７８】
次に、シリーズ番組視聴／録画状況検出部２３は、ＥＰＧ／ＥＣＧ／シリーズ情報格納部１５に格納されたＥＰＧデータＤ２およびＥＣＧデータＤ３から、同じシリーズに属する番組をすべて検索する（ステップＳ３０２）。ここで、シリーズ情報Ｄ１５には、シリーズに属するすべての番組の番組ＩＤが含まれているので、この番組ＩＤをキーをＥＰＧデータＤ２およびＥＣＧデータＤ３からシリーズに属する番組の検索を行うことが可能である。
【００７９】
この検索の結果、該当する番組がＥＰＧデータＤ２およびＥＣＧデータＤ３の中からから見つからなかった場合（ステップＳ３０３のＮＯ）、シリーズ番組視聴／録画状況検出部２３は、何もせずに処理を終了する。また、該当する番組がＥＰＧデータＤ２およびＥＣＧデータＤ３の中から見つかった場合（ステップＳ３０３のＹＥＳ）、シリーズ番組視聴／録画状況検出部２３は、ＥＰＧデータＤ２およびＥＣＧデータＤ３から見つかった番組毎に、番組ＩＤをキーとして、視聴履歴格納部２０から該当する番組の視聴履歴情報Ｄ２３を検索するとともに、録画履歴格納部２２から該当する番組の録画履歴情報Ｄ２２を検索する。シリーズ番組視聴／録画状況検出部２３は、これらの該当する番組の視聴履歴情報Ｄ２３および録画履歴情報Ｄ２２をもとにして、シリーズに属する番組毎に、これが視聴されたことのある番組であるか否か、録画予約された番組であるか否かをそれぞれ判定する。これにより、ユーザの視聴対象のシリーズに属する１以上の番組の視聴・録画状況の情報が得られる（ステップＳ３０４）。ここで、ユーザの視聴対象のシリーズとは、そのユーザが視聴あるいは録画することを意図していると推定される番組のシリーズの事をいう。
【００８０】
この後、シリーズ番組視聴／録画状況検出部２３は、ユーザの視聴対象のシリーズに属する１以上の番組毎視聴・録画状況の情報を整理・編集して、出力画面のデータＤ２０を生成し（ステップＳ３０５）、この出力画面のデータＤ２０をＡＶインターフェース４０６を通じて外部ＡＶ機器４に出力する（ステップＳ３０６）。これにより、外部ＡＶ機器４に、ユーザの視聴対象のシリーズに属する１以上の番組の視聴・録画状況の出力画面が表示される。
【００８１】
図８はシリーズ番組視聴／録画状況の出力画面の第１の例を示す図である。
シリーズ番組視聴／録画状況検出部２３は、録画履歴情報Ｄ２２、視聴履歴情報Ｄ２３、ＥＰＧデータＤ２、ＥＣＧデータＤ３およびシリーズ情報Ｄ１５をもとに、ユーザの視聴対象であるシリーズに属する複数の番組を、視聴も録画もされたことのない番組、録画されているものの視聴されていない番組、録画されて視聴されたことのある番組に分類する。シリーズ番組視聴／録画状況検出部２３は、この分類毎に番組に関する情報を整理して、出力画面のデータＤ２０を生成する。
【００８２】
図８の出力画面の例では、ユーザの視聴対象であるシリーズとして、シリーズ名が「ドラマ  番組α」のシリーズが検出され、このシリーズに属する番組のうち、視聴も録画もされたことのない番組として、番組名が「番組α第１０話」「番組α第１話」「番組α第２話」の３つが見つかったことを示している。少なくとも、今後配信が予定されている番組は、このように視聴も録画もされたことのない番組としてシリーズ番組視聴／録画状況検出部２３によって検出され、外部ＡＶ機器４の出力画面を通してユーザに提示される。あるいは、現在配信が可能な番組のうち、視聴も録画もされたことのない番組も同時にユーザに提示される。これにより、ユーザは、録画したり視聴したりすることを望んでいるシリーズに属する番組において今後配信が予定されている番組や、現在配信中でありながら未だ録画も視聴もしていない番組を容易に把握することができる。
【００８３】
シリーズ番組視聴／録画状況の出力画面において、録画も視聴もされたことのない番組には、例えば「放送」「ＶＯＤ」といった当該番組の配信方式を示す情報が対応付けて表示される。これにより、録画も視聴もされていない番組の配信方式をユーザが一目で把握することができ、その番組を録画予約したりする際に有益な情報となる。
【００８４】
また、図８のシリーズ番組視聴／録画状況の出力画面の例では、録画されているものの視聴されていない番組の番組名として「番組α第３話〜第７話」の５つの番組名と、録画されて視聴されたことのある番組の番組名として「番組α第８話〜第９話」の２つの番組名が表示されている。これにより、録画されている番組の中で、視聴済みの番組と視聴していない番組をユーザが一目で把握できるようになる。
【００８５】
なお、図８のシリーズ番組視聴／録画状況の出力画面の例では、録画も視聴もされたことのない番組の番組名と配信方式のみを表示することとしたが、例えば、放送チャンネル、放送日時、配信日時など、ＥＰＧ／ＥＣＧから得られる他の情報を併せて表示するようにしてもよい。また、ユーザの視聴対象であるシリーズが複数存在する場合には、図８の出力画面がシリーズ毎に生成され、表示される。
【００８６】
図９はシリーズ番組視聴／録画状況の出力画面の第２の例を示す図である。
この例は、視聴・録画状況に応じて番組を分類するのではなく、ユーザの視聴対象であるシリーズに属する１以上の番組の視聴・録画状況を番組の回の順番に沿って一つ一つ並べて表示したものである。そして個々の番組の視聴・録画状況は「ＶＯＤ」「放送」「録画済」「視聴済」といった文字情報や絵文字情報などの表示情報によってユーザが把握できるようにしている。ここで、「ＶＯＤ」の表示情報は、視聴も録画もされたことのない番組で、ＶＯＤ配信が予定されている番組、または現在ＶＯＤ配信が可能な番組であることを示す。「放送」の表示情報は、視聴も録画もされたことのない番組であって、放送配信が予定されている番組であることを示す。「録画済」の表示情報は、録画済みであるが視聴がされたことのない番組であることを示す。「視聴済」の表示情報は、既に視聴された番組であることを示す。このように、ユーザの視聴対象であるシリーズに属する１以上の番組の視聴・録画状況を、番組の回の順番に沿って一つ一つ並べて表示することによって、ユーザの視聴対象であるシリーズに属する１以上の番組の視聴・録画状況をユーザが一つ目で全体的に把握することができる。
【００８７】
以上説明したように、この実施形態によれば、録画履歴情報Ｄ２２、視聴履歴情報Ｄ２３、ＥＰＧデータＤ２、ＥＣＧデータＤ３およびシリーズ情報Ｄ１５をもとに、ユーザの視聴対象であるシリーズに属する１以上の番組の視聴／録画状況を検出することによって、番組の放送日時や配信日時の変更に影響されることなく、シリーズ番組の録画を良好に行うことができる。
【００８８】
また、この実施形態によれば、異なる複数の配信方式にまたがって、視聴対象のシリーズに属する１以上の番組の視聴／録画状況を検出することができる。これにより、例えば、所定の配信方式で配信されるシリーズの番組を続けて録画しようとしているユーザがある回の番組の録画に失敗したとしても、その回の番組を別の配信方式で配信されることが予定されている場合には、そのことをユーザに知らせることができる。ここで、配信方式には、例えば、地上アナログ放送、地上デジタル放送、ＢＳ放送、ＣＳ放送、ＩＰマルチキャスト方式、ＶＯＤ方式などが例示されるが、本発明は配信方式の種類に制約されるものではない。また、異なる複数の配信方式の選定方法にも制約されるものではない。
【００８９】
さらに、本実施形態の録画装置４００に実装された機能的な構成は、コンピュータを動作させるためのアプリケーションプログラムなどのプログラムとして構成することも可能である。このプログラムは、コンピュータが読み込み可能な記憶媒体に記憶させることによって流通させることが可能である。
【００９０】
その他、本発明は、上述の実施形態にのみ限定されるものではなく、本発明の要旨を逸脱しない範囲内において種々更新を加え得ることは勿論である。
【図面の簡単な説明】
【００９１】
【図１】本発明の一実施形態に係る番組配信録画システムの構成を示す図である。
【図２】録画装置のハードウェアの構成を示す図である。
【図３】録画装置の機能的な構成を示す図である。
【図４】ＥＰＧ、ＥＣＧ、シリーズ情報の構成とこれらの関係を示す図である。
【図５】番組の録画とこれに伴う録画履歴情報の記録の動作に関するフローチャートである。
【図６】番組の視聴とこれに伴う視聴履歴情報の記録の動作に関するフローチャートである。
【図７】ユーザの録画対象であるシリーズに属する１以上の番組の視聴／録画状況を検出する動作に関するフローチャートである。
【図８】シリーズ番組視聴／録画状況の出力画面の第１の例を示す図である。
【図９】シリーズ番組視聴／録画状況の出力画面の第２の例を示す図である。
【符号の説明】
【００９２】
１…ネットワーク
４…外部ＡＶ機器
５…リモートコントローラ
１１…番組データ取得部
１２…番組データ録画部
１３…番組データ格納部
１４…ＥＰＧ／ＥＣＧ／シリーズ情報取得部
１５…ＥＰＧ／ＥＣＧ／シリーズ情報格納部
１６…ＥＰＧ／ＥＣＧ画面生成部
１７…録画予約部
１８…番組データ再生部
１９…視聴履歴記録部
２０…視聴履歴格納部
２１…録画履歴記録部
２２…録画履歴格納部
２３…シリーズ番組視聴／録画状況検出部
２４…録画予約情報格納部
２５…録画番組リスト生成部
１００…番組配信録画システム
２００…放送局
３００…番組配信サーバ
４００…録画装置
【図１】
0004506871.tif 000002
【図２】
0004506871.tif 000003
【図３】
0004506871.tif 000004
【図４】
0004506871.tif 000005
【図５】
0004506871.tif 000006
【図６】
0004506871.tif 000007
【図７】
0004506871.tif 000008
【図８】
0004506871.tif 000009
【図９】
0004506871.tif 000010